Podtech/llm-jp-corpus-v4-ja_patent huggingface dataset:
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
複数の個体のＨＬＡ遺伝子ＨＬＡ−Ａ、ＨＬＡ−Ｂ、ＨＬＡ−Ｃ、ＤＲＢｌ、ＤＱＡｌ、ＤＱＢｌ、ＤＰＡｌ、及びＤＰＢｌのＨＬＡ遺伝子型を並行して決定する方法であり：
（ａ）各個体において、多形性部位を含む前記ＨＬＡ−Ａ、ＨＬＡ−Ｂ、ＨＬＡ−Ｃ、ＤＲＢｌ、ＤＱＡｌ、ＤＱＢｌ、ＤＰＡｌ、及びＤＰＢｌのエキソンを増幅することにより、各個体のＨＬＡ−Ａ、ＨＬＡ−Ｂ、ＨＬＡ−Ｃ、ＤＲＢｌ、ＤＱＡｌ、ＤＱＢｌ、ＤＰＡｌ、及びＤＰＢｌ単位複製配列を取得し、ここで、各増幅反応は、ＨＬＡ遺伝子エキソンを増幅するための順プライマー及び逆プライマーを用いて実行され、ここで：
（ｉ）該順プライマーは、５’から３’’にかけて以下の配列：アダプター配列、分子同定配列、及びＨＬＡ−ハイブリダイゼーション配列を含み、該ＨＬＡ−ハイブリダイゼーション配列の長さが１５〜４０ヌクレオチドであり、所望のＨＬＡ遺伝子エキソンの配列と正確に、又は実質的に相補的であり；そして
（ｉｉ）該逆プライマーは、５’から３’にかけて以下の配列：アダプター配列、分子同定配列、及びＨＬＡ−ハイブリダイゼーション配列を含み、該ＨＬＡ−ハイブリダイゼーション配列の長さが１５〜４０ヌクレオチドであり、所望のＨＬＡ遺伝子エキソンの配列と正確に、又は実質的に相補的であり；
（ｂ）複数の個体由来のＨＬＡ単位複製配列をプールし、そしてエマルジョンＰＣＲを実行し；
（ｃ）パイロシークエンシングを用いて、各個体のＨＬＡ−Ａ、ＨＬＡ−Ｂ、ＨＬＡ−Ｃ、ＤＲＢｌ、ＤＱＡｌ、ＤＱＢｌ、ＤＰＡｌ、及びＤＰＢｌ単位複製配列を並行して決定し；続いて
（ｄ）該ＨＬＡ単位複製配列と既知のＨＬＡ配列を比較して、各個体に対してＨＬＡ対立遺伝子を割り当てることにより該個体中にいずれのＨＬＡ対立遺伝子が存在しているかを決定；
工程を含む、前記方法。
【請求項２】
前記ＨＬＡ単位複製配列を取得するための順プライマーが、表１に示されるプライマーのＨＬＡ結合領域の配列を有する、請求項１の方法。
【請求項３】
前記順プライマーが、表１に示されるプライマーの配列を有する、請求項２の方法。
【請求項４】
前記ＨＬＡ単位複製配列を取得するための逆プライマーが、表１に示されるプライマーのＨＬＡ結合領域の配列を有する、請求項１の方法。
【請求項５】
前記逆プライマーが、表１に示されるプライマー配列を有する、請求項４の方法。
【請求項６】
前記ＨＬＡ単位複製配列を取得するための順プライマーが、表１に示されるプライマーのＨＬＡハイブリダイゼーション領域の配列を有し；かつ、前記ＨＬＡ単位複製配列を取得するための逆プライマーが、表１に示されるプライマーのＨＬＡハイブリダイゼーション領域の配列を有する、請求項１の方法。
【請求項７】
前記順プライマーが表１に示されるプライマーのアダプター領域を有し；かつ、前記逆プライマーが表１に示されるプライマーのアダプター領域を有する、請求項６の方法。
【請求項８】
前記順プライマーが、表１に示されるプライマーの個別識別タグ（ｉｎｄｉｖｉｄｕａｌ  ｉｄｅｎｔｉｆｉｃａｔｉｏｎ  ｔａｇ）を有し、かつ、前記逆プライマーが、表１に示されるプライマーの個別識別タグを有する、請求項１の方法。
【請求項９】
前記エマルジョンＰＣＲが非対称的に実行される、請求項１に記載の方法。
【請求項１０】
複数の個体におけるＨＬＡ遺伝子ＨＬＡ−Ａ、ＨＬＡ−Ｂ、ＨＬＡ−Ｃ、ＤＲＢｌ、ＤＱＡｌ、ＤＱＢｌ、ＤＰＡｌ、及びＤＰＢｌのＨＬＡ遺伝子型を並行して決定するためのＨＬＡ単位複製配列を取得するためのプライマーのペアを含むキットであり、ここで、該プライマーのペアが、ＨＬＡ遺伝子エキソンを増幅するための順プライマー及び逆プライマーを含み、ここで：（ｉ）該順プライマーは、５’から３’’にかけて以下の配列：アダプター配列、分子同定配列、及びＨＬＡハイブリダイゼーション配列を含み、該ＨＬＡ−ハイブリダイゼーション配列の長さが１５〜４０ヌクレオチドであり、所望のＨＬＡ遺伝子エキソンの配列と正確に、又は実質的に相補的であり；（ｉｉ）該逆プライマーは、５’から３’にかけて以下の配列：アダプター配列、分子同定配列、及びＨＬＡハイブリダイゼーション配列を含み、該ＨＬＡ−ハイブリダイゼーション配列の長さが１５〜４０ヌクレオチドであり、所望のＨＬＡ遺伝子エキソンの配列と正確に、又は実質的に相補的である、前記キット。
【請求項１１】
前記プライマーのペアが、表１に示される順プライマー及び逆プライマーを含む、請求項１０のキット。
【請求項１２】
１つ以上のプライマーのペアを含むキットであり、各プライマーのペアが、表１に示されるプライマーのＨＬＡ−結合領域の配列を有するＨＬＡ単位複製領域を取得するための順プライマーを含み；そして表１に示されるプライマーのＨＬＡ−結合領域の配列を有する該ＨＬＡ単位複製領域を取得するための逆プライマーを含む、前記キット。
【請求項１３】
前記順プライマーが、表１に示されるプライマーの配列を有し、そして前記順プライマーが、表１に示されるプライマーの配列を有する、請求項１２に記載のキット。
【請求項１４】
１５個のプライマーのペアを含み、該プライマーのペアが、ＨＬＡ−Ａのエキソン２、エキソン３、及びエキソン４を増幅し；ＨＬＡ−Ｂのエキソン２、エキソン３、及びエキソン４を増幅し；ＨＬＡ−Ｃのエキソン２、エキソン３、及びエキソン４を増幅し；ＤＲＢ１のエキソン２を増幅し；ＤＰＢ１のエキソン２を増幅し、ＤＰＡ１のエキソン２を増幅し、ＤＱＡ１のエキソン２を増幅し；そしてＤＱＢ１のエキソン２及びエキソン３を増幅する、請求項１２に記載のキット。
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
レオウイルス科に属するウイルスのゲノムを修飾する方法であって、
（ａ）レオウイルスゲノムの修飾部分をコードする核酸を細胞に導入する工程、
（ｂ）前記細胞にレオウイルスを感染させる工程、及び
（ｃ）修飾ウイルスの産生を誘導する条件下で、前記細胞を維持する工程を含み、
前記修飾ウイルスが、工程（ｂ）で使用されるレオウイルスと比較して、前記レオウイルスゲノムの修飾部分を含む修飾ゲノムを含む、前記方法。
【請求項２】
前記レオウイルス科に属するウイルスが、オルトレオウイルス種、オルビウイルス種、ロタウイルス種またはコルティウイルス種である、請求項１に記載の方法。
【請求項３】
前記レオウイルスゲノムを含む１種以上の二本鎖ＲＮＡゲノムセグメントを修飾する、請求項１または２のいずれか一項に記載の方法。
【請求項４】
１種以上の前記二本鎖ＲＮＡゲノムセグメントの一部分又は複数部分を修飾する、請求項１〜３のいずれか一項に記載の方法。
【請求項５】
ゲノムによってコードされた１種以上のウイルス成分を修飾する、請求項１〜４のいずれか一項に記載の方法。
【請求項６】
前記１種以上のウイルス成分が、構造成分および／または非構造成分である、請求項５に記載の方法。
【請求項７】
前記レオウイルスゲノムを、１種以上の異種核酸配列を含むように修飾する、請求項１〜６のいずれか一項に記載の方法。
【請求項８】
前記異種核酸配列が、細胞死もしくはアポトーシスを誘導するか、または１種以上の細胞過程を阻害もしくは抑制し得る化合物をコードする、請求項７に記載の方法。
【請求項９】
前記細胞に導入される前記核酸が、ＲＮＡポリメラーゼＩＩ依存性転写カセット内に含まれる、請求項１〜８のいずれか一項に記載の方法。
【請求項１０】
前記ＲＮＡポリメラーゼＩＩ依存性転写カセットが、レンチウイルスベクターである、請求項９に記載の方法。
【請求項１１】
レオウイルス科に属するウイルスの細胞指向性を修飾する方法であって、
（ａ）レオウイルスの修飾成分をコードする核酸を細胞に導入する工程、
（ｂ）前記細胞にレオウイルスを感染させる工程、及び
（ｃ）修飾された細胞指向性の修飾レオウイルスの産生を誘導する条件下で、前記細胞を維持する工程を含み、
修飾された指向性の前記修飾レオウイルスが、工程（ｂ）で使用されるレオウイルスと比較して、レオウイルスの前記修飾成分を含む、前記方法。
【請求項１２】
レオウイルスタイプ３、ディアリング株（Ｔ３Ｄ）のσ−１（Ｓ１）カプシドタンパク質を修飾する方法であって、
（ａ）修飾Ｔ３ＤのＳ１タンパク質をコードするｃＤＮＡを含むレンチウイルスベクターを細胞に導入する工程、
（ｂ）前記細胞にＴ３Ｄウイルスを感染させる工程、及び
（ｃ）修飾Ｓ１タンパク質を有する修飾Ｔ３Ｄウイルスの産生を誘導する条件下で、前記細胞を維持する工程を含み、
修飾Ｓ１カプシドタンパク質を有する前記修飾Ｔ３Ｄウイルスが、工程（ｂ）で使用されるＴ３Ｄウイルスと比較して、前記修飾Ｓ１カプシドタンパク質をコードする修飾ゲノムを更に含む、前記方法。
【請求項１３】
請求項１〜１２のいずれか一項に記載の方法によって産生されたレオウイルス科に属する修飾ウイルス。
【請求項１４】
修飾レオウイルスタイプ３、ディアリング株（Ｔ３Ｄ）であって、カルボキシ末端において少なくとも１つのヒスチジン残基を含む修飾Ｓ１カプシドタンパク質を含む、前記ウイルス。
【請求項１５】
修飾レオウイルスを増殖する方法であって、
（ａ）請求項１３もしくは１４に記載のレオウイルスまたは請求項１〜１２の方法のいずれかに従って修飾されたレオウイルスを、前記修飾レオウイルスと結合または相互作用することができる部分を含む細胞と、修飾レオウイルスによる細胞の感染を許容する条件下で接触させる工程、及び
（ｂ）修飾レオウイルスの産生を誘導する条件下で、前記細胞を維持する工程を含む、前記方法。
【請求項１６】
前記修飾レオウイルスが、カルボキシ末端において少なくとも１つのヒスチジン残基を含むように修飾されたＳ１カプシドタンパク質を含むＴ３Ｄレオウイルスであり、さらに細胞の前記部分が、前記修飾Ｓ１カプシドタンパク質の前記少なくとも１つのヒスチジン残基を結合することができる、請求項１５に記載の方法。
【請求項１７】
前記修飾レオウイルスが、カプシドタンパク質に対する１種以上の付加の修飾をさらに含む、請求項１６に記載の方法。
【請求項１８】
前記付加の修飾が、レオウイルスＴ３ＤのＳ１タンパク質のアミノ酸Ａｓｎ３６９〜Ｇｌｕ３８４に対する修飾を含む、請求項１７に記載の方法。
【請求項１９】
癌などの疾患の治療における請求項１５〜１８のいずれか一項に記載の方法によって増殖されたウイルスの使用。
【請求項２０】
修飾レオウイルス粒子を単離する方法であって、Ｓ１タンパク質のカルボキシ末端において少なくとも１つのヒスチジン残基を有する修飾レオウイルスを、ヒスチジン結合部分と、前記少なくとも１つのヒスチジン残基と前記ヒスチジン結合部分との間の結合を許容する条件下で接触させる工程を含む、前記方法。
【請求項２１】
レオウイルス科のメンバーによって引き起こされるかまたはレオウイルス科のメンバーが寄与する疾患の予防のためのワクチンの調製における、請求項１３に記載の修飾ウイルスの使用。
【請求項２２】
細胞増殖及び分化障害の治療のための薬剤の製造における、請求項１３に記載の修飾ウイルスの使用。
【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
円筒形の製品、具体的には菓子製品、より具体的にはチューブ入り菓子用のモジュラー陳列ユニットであって、穴のあいた中央ベース（５）と、周辺シェル（６）と、前記ベース（５）から上向きに延び、かつ前記シェル（６）の高さを越えて突き出る中央管状体（７）とを有する少なくとも１つのモジュラーバスケット部材（２）を有し、前記シェル（６）は、チューブ入り菓子（１１）を収納するのに適した複数の凹部を内側に備えたシート（８）を有し、前記シート（８）の外側には、くぼみ（１０）によって分離された複数の凸状部分（９）が形成されている陳列ユニット。
【請求項２】
前記管状体（７）は、上向きに先細りの円錐形状を有することを特徴とする、請求項１に記載の陳列ユニット。
【請求項３】
前記管状体（７）は、前記ベースの所が広くなった円筒形を有することを特徴とする、請求項１に記載の陳列ユニット。
【請求項４】
前記シェル（６）は上向きに傾斜していることを特徴とする、請求項１から３のいずれか一項に記載の陳列ユニット。
【請求項５】
各モジュラーバスケット部材（２）は、上下の対応する部材に対してずれた向きを有し、したがって、前記モジュラーバスケット部材（２）のシート（８）は前記シート（８）の前記くぼみ（１０）に揃えて配置されている、請求項１から４のいずれか一項に記載の陳列ユニット。
【請求項６】
支持ベース（３）およびカバーキャップ（４）を有する、請求項１から５のいずれか一項に記載の陳列ユニット。
【請求項７】
前記ベース（３）は、拡幅された本体（２０）を有し、前記本体（２０）から、前記陳列ユニット（１）の１番下の前記モジュラーバスケット部材（２）に挿入されるのに適した中央本体（２１）が上向きに延びる、請求項６に記載の陳列ユニット。
【請求項８】
前記カバーキャップ（４）は、半径方向に突き出たベース（２２）を有し、該ベース（２２）の端面は波形の形状を有することを特徴とする、請求項６または７に記載の陳列ユニット。
【請求項９】
前記キャップ（４）に情報盤（２３）が取り付けられる、請求項８に記載の陳列ユニット。
【請求項１０】
請求項１から９のいずれか一項に記載された陳列ユニットを構成するモジュラーバスケット部材（２）であって、穴のあいたベース部（５）と、周辺シェル（６）と、中央管状体（７）とを有し、前記シェル（６）は、前記チューブ入り菓子（１１）を収納するのに適した複数の凹部を内側に備えたシート（８）を有し、前記シート（８）の外側には、くぼみ（１０）によって分離された複数の凸状部分（９）が形成され、前記管状体（７）が、同一のバスケット部材（２）を積み重ねるのを可能にするような形状を有するモジュラーバスケット部材（２）。
【請求項１１】
前記管状体（７）は、上向きに先細りの円錐形状を有することを特徴とする、請求項１０に記載のモジュラーバスケット部材（２）。
【請求項１２】
前記管状体（７）は、前記ベースの所が広くなった円筒形を有する、請求項１０に記載のモジュラーバスケット部材。
【請求項１３】
前記シェル（６）は上向きに傾斜している、請求項１０から１２のいずれか一項に記載のモジュラーバスケット部材（２）。
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
以下の工程を含む、DNA分子からヌクレオチド配列組成情報を入手する方法：
配列特異的一本鎖ニック部位をDNA分子に導入する工程；
前記DNA分子の前記ニック部位から終止部位に及ぶ領域に標識したヌクレオチドを組み入れる工程であって、ddNTP又は少なくとも2つの連続標識ヌクレオチドのいずれかが該終止部位に組み入れられる工程；
前記DNA分子の前記領域に組み入れたヌクレオチドを定量して、前記領域付近のヌクレオチド配列組成情報を確認する工程；および
参照ゲノムの対応する領域のヌクレオチド配列組成情報と前記確認したヌクレオチド配列組成情報を比較して、前記DNA分子の領域の前記確認した配列ヌクレオチド組成情報が参照ゲノムの対応する領域のヌクレオチド配列組成情報と同じであるかまたは前記と相違するかを決定する工程。
【請求項２】
以下の工程を含む、DNA分子のヌクレオチド配列組成情報を評価する方法：
配列特異的一本鎖ニック部位をDNA分子に導入する工程；
前記DNA分子の前記ニック部位から終止部位に及ぶ領域に標識したヌクレオチドを組み入れる工程；
前記領域に組み入れたヌクレオチドを定量して、前記領域付近のヌクレオチド配列組成情報を評価する工程。
【請求項３】
ニック部位がニック付加制限酵素によってDNAへ導入される、請求項１又は２に記載の方法。
【請求項４】
ニック付加制限酵素がNb.BsmI、Nb.BsrDI、Nb.BtsI、Nb.BbvCI、Nt.AlwI、Nt.BbvCI、Nt.BstNBI、Nt.SapIおよびNt.CviPIIから成る群から選択される、請求項３に記載の方法。
【請求項５】
標識ヌクレオチドがポリメラーゼによって組み入れられる、請求項１又は２に記載の方法。
【請求項６】
標識ヌクレオチドがニック翻訳によって組み入れられる、請求項１又は２に記載の方法。
【請求項７】
終止部位が少なくとも1つの組み入れた標識ヌクレオチドによって特徴付けられる、請求項１又は２に記載の方法。
【請求項８】
終止部位が少なくとも2つの組み入れた標識ヌクレオチドによって特徴付けられる、請求項１又は２に記載の方法。
【請求項９】
終止部位がターミネーターによって特徴付けられる、請求項１又は２に記載の方法。
【請求項１０】
ターミネーターが組み入れたジデオキシヌクレオチドから選択されるか、または組み入れたジデオキシヌクレオチドおよび色素によって選択される、請求項９に記載の方法。
【請求項１１】
前記方法が、更に
（ａ）導入工程の前にDNA分子の非配列特異的内因性ニック部位からの標識の組み入れを低下させるかまたは防止する工程、
（ｂ）DNA分子の前記領域の外側で標識分子タグを前記DNA分子に付加する工程、又は
（ｃ）DNA分子からタンパク質を除去する工程
を含む、請求項１又は２に記載の方法。
【請求項１２】
（ａ）の標識の組み入れを低下させるかまたは防止する工程が、DNA分子の内因性ニックを修復する工程およびDNA分子の内因性ニックを封鎖する工程から成る工程群から選択される、請求項１１に記載の方法。
【請求項１３】
（ｂ）の標識分子が包括的染色性蛍光色素である、請求項１１に記載の方法。
【請求項１４】
包括的染色性蛍光色素がYOYO-1である、請求項１３に記載の方法。
【請求項１５】
標識ヌクレオチドがAlexa-標識ヌクレオチドおよびCy5-標識ヌクレオチドから選択される、請求項１又は２に記載の方法。
【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
２つのサブユニットを含む突然変異ＩｇＧ  Ｆｃドメインと融合した単一ＩＦＮ−ベータ（ｓｉｎｇｌｅ  ＩＦＮ−ｂｅｔａ）を含むタンパク質であり、第一のサブユニットがＩＦＮ−ベータタンパク質と連結していない突然変異ＩｇＧ  Ｆｃ腕部を含み、第二のサブユニットが単一ＩＦＮ−ベータタンパク質と連結した突然変異ＩｇＧ  Ｆｃ腕部を含み、該第一のサブユニットが、配列番号３の配列からなり、該第二のサブユニットが、配列番号８の配列からなる、前記タンパク質。
【請求項２】
請求項１に記載のタンパク質をコードするポリヌクレオチド。
【請求項３】
配列番号４の配列若しくは配列番号９の配列を含み、又はこれらの配列からなる、請求項２に記載のポリヌクレオチド。
【請求項４】
配列番号１２の配列を含み、又はこの配列からなる、請求項２に記載のポリヌクレオチド。
【請求項５】
請求項２〜４のいずれかに記載のポリヌクレオチドを含む発現ベクター。
【請求項６】
請求項５に記載のベクターを用いて形質転換した宿主細胞。
【請求項７】
ＣＨＯ細胞である、請求項６に記載の宿主細胞。
【請求項８】
請求項１に記載のタンパク質を含む医薬組成物。
【請求項９】
医薬として使用される請求項８に記載の医薬組成物。
【請求項１０】
多発性硬化症治療用の医薬を調製するための、請求項９に記載の医薬組成物の使用。
【請求項１１】
請求項１に記載のタンパク質の製造方法であって、請求項６又は７のいずれかに記載の宿主細胞の培養、及び前記タンパク質の単離を含む方法。
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
ａ）ジフテリア毒素をコードする第一オープンリーディングフレームであって、Ｈ１９特異的な転写調節配列と機能的に連結する第一オープンリーディングフレームと、
ｂ）ジフテリア毒素をコードする第二オープニングリーディングフレームであって、ＩＧＦ−ＩＩ  Ｐ４およびＩＧＦ−ＩＩ  Ｐ３配列から選択するＩＧＦ−ＩＩ転写調節配列と機能的に連結する第二オープンリーディングフレームと
を含むか、または、
ａ）ジフテリア毒素をコードする第一オープンリーディングフレームであって、ＩＧＦ−ＩＩ  Ｐ３転写調節配列と機能的に連結する第一オープンリーディングフレームと、
ｂ）ジフテリア毒素をコードする第二オープニングリーディングフレームであって、ＩＧＦ−ＩＩ  Ｐ４転写調節配列と機能的に連結する第二オープンリーディングフレームと
を含む核酸構造。
【請求項２】
前記ジフテリア毒素はジフテリア毒素Ａ（ＤＴＡ）である請求項１に記載の核酸構造。
【請求項３】
前記Ｈ１９特異的な転写調節配列はＳＥＱ  ＩＤ  ＮＯ：１−２のいずれかに規定の核酸配列を含むプロモーターである請求項１に記載の核酸構造。
【請求項４】
前記ＩＧＦ−ＩＩ  Ｐ４転写調節配列はＳＥＱ  ＩＤ  ＮＯ：９に規定の核酸配列を含むプロモーターである請求項１に記載の核酸構造。
【請求項５】
ＩＧＦ−ＩＩ  Ｐ３転写調節配列は、ＳＥＱ  ＩＤ  ＮＯ：８，ＳＥＱ  ＩＤ  ＮＯ：１２及びＳＥＱ  ＩＤ  ＮＯ：１７から選択される核酸配列を有するプロモーターである、請求項１に記載の核酸構造。
【請求項６】
前記核酸構造はプラスミドである請求項１に記載の核酸構造。
【請求項７】
請求項１に記載の核酸構造を含む真核発現ベクター。
【請求項８】
前記ジフテリア毒素はＳＥＱ  ＩＤ  ＮＯ：７に規定の配列を含む請求項２に記載の核酸構造。
【請求項９】
前記第一オープンリーディングフレームがＨ１９特異的な転写調節配列と機能的に連結し、前記第二オープンリーディングフレームがＩＧＦ−ＩＩ  Ｐ４転写調節配列と機能的に連結する請求項１記載の核酸構造。
【請求項１０】
前記核酸構造はさらにジフテリア毒素をコードする第三オープニングフレームを含み、前記第三オープニングフレームはＩＧＦ−ＩＩ  Ｐ３転写調節配列と機能的に連結してなる請求項９に記載の核酸構造。
【請求項１１】
前記第一オープンリーディングフレームがＨ１９特異的な転写調節配列と機能的に連結し、前記第二オープンリーディングフレームがＩＧＦ−ＩＩ  Ｐ３転写調節配列と機能的に連結する請求項１記載の核酸構造。
【請求項１２】
前記第一オープンリーディングフレームがＩＧＦ−ＩＩ  Ｐ３転写調節配列と機能的に連結し、前記第二オープンリーディングフレームがＩＧＦ−ＩＩ  Ｐ４転写調節配列と機能的に連結する請求項１記載の核酸構造。
【請求項１３】
ヒトの腫瘍を治療するために使用される核酸構造であって、前記腫瘍細胞はＨ１９プロモーターによって促される転写産物、ＩＧＦ−ＩＩ  Ｐ３プロモーターによって促される転写産物または、ＩＧＦ−ＩＩ  Ｐ４プロモーターによって促される転写産物を発現する請求項１に記載の核酸構造。
【請求項１４】
前記腫瘍が癌である請求項１３に記載の核酸構造。
【請求項１５】
前記腫瘍が膀胱癌、肝癌、卵巣癌、膵癌である請求項１４に記載の方法。
【請求項１６】
ヒトの腫瘍進行を阻害するために使用される核酸構造であって、前記腫瘍細胞はＨ１９プロモーターによって促される転写産物、ＩＧＦ−ＩＩ  Ｐ４プロモーターによって促される転写産物または、ＩＧＦ−ＩＩ  Ｐ３プロモーターによって促される転写産物を発現する請求項１に記載の核酸構造。
【請求項１７】
前記腫瘍が癌である請求項１６に記載の核酸構造。
【請求項１８】
前記腫瘍は膀胱癌、肝癌、卵巣癌、膵癌である請求項１７に記載の核酸構造。
【請求項１９】
ヒトの腫瘍転移を阻害するために使用される核酸構造であって、前記腫瘍細胞はＨ１９プロモーターによって促される転写産物、ＩＧＦ−ＩＩ  Ｐ４プロモーターによって促される転写産物または、ＩＧＦ−ＩＩ  Ｐ４プロモーターによって促される転写産物を発現する請求項１に記載の核酸構造。
【請求項２０】
前記腫瘍が癌である請求項１９に記載の核酸構造。
【請求項２１】
前記腫瘍は膀胱癌、肝癌、卵巣癌、膵癌である請求項２０に記載の核酸構造。
【請求項２２】
ヒトの腫瘍を治療するため、ヒトの腫瘍進行を阻害するため、またはヒトの腫瘍転移を阻害するために使用される核酸構造であって、前記腫瘍細胞はＩＧＦ−ＩＩ  Ｐ３プロモーターによって促される転写産物または、ＩＧＦ−ＩＩ  Ｐ４プロモーターによって促される転写産物を発現する請求項１２に記載の核酸構造。
【請求項２３】
前記腫瘍が癌である請求項２２に記載の核酸構造。
【請求項２４】
前記腫瘍は膀胱癌、肝癌、卵巣癌、膵癌である請求項２３に記載の核酸構造。
【請求項２５】
細胞毒素または細胞増殖抑制剤の遺伝子産物をコードする第一オープンリーディングフレームであって、第一転写調節配列と機能的に連結する第一オープンリーディングフレームと、
細胞毒素または細胞増殖抑制剤の遺伝子産物をコードする第二オープニングリーディングフレームであって、第二転写調節配列と機能的に連結する第二オープンリーディングフレームとを含み、
前記第一転写調節配列および第二転写調節配列は、
ｉ）第一の転写制御配列はＨ１９に特異的な転写制御配列、および第二の転写制御配列はＩＧＦ−ＩＩ  Ｐ４  転写制御配列；
ｉｉ）第一の転写制御配列はＨ１９に特異的な転写調節配列、および第二の転写制御配列はＩＧＦ−ＩＩ  Ｐ３  転写制御配列；
ｉｉｉ）第一の転写調節配列はＩＧＦ−ＩＩ  Ｐ４転写調節配列、および第二の転写調節配列はＩＧＦ−ＩＩ  Ｐ３転写調節配列
から成る群から選択してなる核酸構造。
【請求項２６】
ヒトの腫瘍を治療するため、ヒトの腫瘍進行を阻害するため、またはヒトの腫瘍転移を阻害するために使用される核酸構造であって、前記腫瘍細胞は、Ｈ１９プロモーターによって促される転写産物、ＩＧＦ−ＩＩ  Ｐ３プロモーターによって促される転写産物または、ＩＧＦ−ＩＩ  Ｐ４プロモーターによって促される転写産物を発現する請求項２５記載の核酸構造。
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
Ｎε−アセチルリシンを結合可能なｔＲＮＡシンテターゼ。
【請求項２】
ｔＲＮＡシンテターゼが、ＭｂＰｙｌＲＳのアミノ酸配列と少なくとも９０％の配列同一性を有するポリペプチドを含む、請求項１に記載のｔＲＮＡシンテターゼ。
【請求項３】
ｔＲＮＡシンテターゼが、ＭｂＰｙｌＲＳの少なくともＬ２６６〜Ｃ３１３のアミノ酸配列に対応するアミノ酸配列、又は前記アミノ酸配列と少なくとも９０％の同一性を有する配列を含むポリペプチドからなる、請求項２に記載のｔＲＮＡシンテターゼ。  
【請求項４】
ポリペプチドが、野生型ＭｂＰｙｌＲＳ配列に対し、Ｌ２６６、Ｌ２７０、Ｙ２７１、Ｌ２７４又はＣ３１３の１又は２以上において変異を有する、請求項３に記載のｔＲＮＡシンテターゼ。  
【請求項５】
少なくとも１つの変異が、Ｌ２７０、Ｙ２７１、Ｌ２７４又はＣ３１３における変異である、請求項４に記載のｔＲＮＡシンテターゼ。  
【請求項６】
少なくとも１つの変異が、Ｌ２７０、Ｌ２７４又はＣ３１３における変異である、請求項５に記載のｔＲＮＡシンテターゼ。
【請求項７】
Ｙ２７１Ｌを含む、請求項１〜６のいずれかに記載のｔＲＮＡシンテターゼ。
【請求項８】
Ｙ２７１Ｆを含む、請求項１〜７のいずれかに記載のｔＲＮＡシンテターゼ。
【請求項９】
Ｌ２６６Ｖを含む、請求項１〜８のいずれかに記載のｔＲＮＡシンテターゼ。
【請求項１０】
Ｌ２７０Ｉ、Ｙ２７１Ｌ、Ｌ２７４Ａ及びＣ３１３Ｆを含む、請求項１〜９のいずれかに記載のｔＲＮＡシンテターゼ。
【請求項１１】
Ｌ２６６Ｖ、Ｌ２７０Ｉ、Ｙ２７１Ｆ、Ｌ２７４Ａ及びＣ３１３Ｆを含む、請求項１〜１０のいずれかに記載のｔＲＮＡシンテターゼ。
【請求項１２】
請求項１〜１１のいずれかに記載のｔＲＮＡシンテターゼをコードするヌクレオチド配列を含む核酸。
【請求項１３】
ｔＲＮＡにＮε−アセチルリシンをチャージするための、請求項１〜１１のいずれかに記載のポリペプチドの使用。
【請求項１４】
ｔＲＮＡがＭｂｔＲＮＡＣＵＡを含む、請求項１３に記載の使用。
【請求項１５】
ポリペプチドをコードするＲＮＡの翻訳をアレンジするステップを含むＮε−アセチルリシンを含むポリペプチドを作製する方法であって、前記ＲＮＡがアンバーコドンを含み、前記翻訳が請求項１〜１１のいずれかに記載のポリペプチドの存在下で、かつ、Ｎε−アセチルリシンをチャージすることができるｔＲＮＡの存在下で、かつ、Ｎε−アセチルリシンの存在下で行われる方法。
【請求項１６】
翻訳が脱アセチル化阻害剤の存在下で行われる、請求項１５に記載の方法。
【請求項１７】
阻害剤がニコチンアミド（ＮＡＭ）を含む、請求項１６に記載の方法。
【請求項１８】
Ｎε−アセチルリシンを含むポリペプチドを作製する方法であって、前記方法が、Ｎε−アセチルリシンを取り込むのに望ましい前記ポリペプチドにおける位置に対応する１又は２以上の位置でアンバーコドンを提供するために、前記ポリペプチドをコードする核酸を修飾するステップを含む方法。
【請求項１９】
核酸を修飾するステップが、リシンに対するコドンをアンバーコドン（ＴＡＧ）に変異させるステップを含む、請求項１８に記載の方法。
【請求項２０】
Ｎε−アセチルリシンを含むホモジニアスな組換えタンパク質。
【請求項２１】
タンパク質が、請求項１５〜１９のいずれかに記載の方法で作製される、請求項２０に記載のホモジニアスな組換えタンパク質。
【請求項２２】
請求項１２に記載の核酸を含むベクター。
【請求項２３】
ベクターが、ｔＲＮＡシンテターゼのｔＲＮＡ基質をコードする核酸配列をさらに含む、請求項２２に記載のベクター。
【請求項２４】
ｔＲＮＡ基質が、ＭｂＰｙｌＴ遺伝子によってコードされる、請求項２３に記載のベクター。
【請求項２５】
請求項１２に記載の核酸又は請求項２２〜２４のいずれかに記載のベクターを含む細胞。
【請求項２６】
不活性化されたデアセチラーゼ遺伝子をさらに含む、請求項２５に記載の細胞。
【請求項２７】
不活性化されたデアセチラーゼ遺伝子が、ＣｏｂＢの欠失又は破壊を含む、請求項２６に記載の細胞。
【請求項２８】
請求項２２〜２４のいずれかに記載のベクター又は請求項２５〜２７のいずれかに記載の細胞、及びニコチンアミドを一定量含むキット。
【請求項２９】
Ｎε−アセチルリシンを結合可能なｔＲＮＡシンテターゼを作製する方法であって、Ｌ２６６、Ｌ２７０、Ｙ２７１、Ｌ２７４又はＣ３１３の１又は２以上において親ｔＲＮＡシンテターゼ配列をコードする核酸を変異させるステップと、Ｎε−アセチルリシンを結合可能な１又は２以上の変異体を選択するステップとを含む方法。
【手続補正書】
【提出日】平成23年10月3日(2011.10.3)
【手続補正１】
【補正対象書類名】特許請求の範囲
【補正対象項目名】全文
【補正方法】変更
【補正の内容】
【特許請求の範囲】
【請求項１】
少なくとも１種の熱可塑性ポリマー及びタバコを含む非水性組成物の押出成形又はホットメルト成形により形成されるシートを含む無煙タバコ製品であって、前記シートが、前記少なくとも１種の熱可塑性ポリマーを含むマトリックス及び前記マトリックス中に分散された前記タバコを含み、前記マトリックスが、使用者の口内で可溶性であり、使用者へのニコチンの持続的な放出をもたらすことを特徴とする無煙タバコ製品。
【請求項２】
前記タバコが、使用者の最高測定血漿中ニコチン濃度が４ｎｇ／ｍｌより高くなるように前記製品の１回投与において１００ｍｇ未満の量で存在する、請求項１に記載の無煙タバコ製品。
【請求項３】
前記シートが、表面積約６．４５〜９．６７ｃｍ2（１〜１．５インチ2）及び厚さ約０．２５〜１．２７ｍｍ（１０〜５０ミル）を有するシートについて測定した場合、使用者の頬側口腔内で完全に溶解するまでの平均溶解時間５〜５０分を有する、請求項１又は２に記載の無煙タバコ製品。
【請求項４】
前記シートが少なくとも１．８１ｋｇ（４ポンド）の引張強さを有する、請求項１又は２に記載の無煙タバコ製品。
【請求項５】
前記シートが、±１０％の範囲の均一性を有する、請求項１又は２に記載の無煙タバコ製品。
【請求項６】
前記少なくとも１種の熱可塑性ポリマーが、前記組成物全体の少なくとも２０質量％の量で含有される、請求項１又は２に記載の無煙タバコ製品。
【請求項７】
前記少なくとも１種の熱可塑性ポリマーが水溶性ポリマーを含む、請求項１又は２に記載の無煙タバコ製品。
【請求項８】
前記組成物のｐＨを制御するための緩衝剤を更に含む、請求項１又は２に記載の無煙タバコ製品。
【請求項９】
前記緩衝剤が、前記組成物が使用者の口内に存在する場合に、前記組成物にｐＨ６〜９．５を提供する量で存在する、請求項８に記載の無煙タバコ製品。
【請求項１０】
粘膜吸収促進剤を更に含む、請求項１又は２に記載の無煙タバコ製品。
【請求項１１】
前記少なくとも１種のポリマーがヒドロキシプロピルセルロース（ＨＰＣ）を含む、請求項１又は２に記載の無煙タバコ製品。
【請求項１２】
前記非水性組成物が可塑剤を含まない、請求項１又は２に記載の無煙タバコ製品。
【請求項１３】
前記タバコが嗅ぎタバコの形態である、請求項１又は２に記載の無煙タバコ製品。
【請求項１４】
可塑剤を更に含む、請求項１又は２に記載の無煙タバコ製品。
【請求項１５】
非水性で押出可能な組成物であって、前記組成物全体に対して２０質量％を超える量の少なくとも１種の熱可塑性ポリマー及びタバコを含むことを特徴とする組成物。
【請求項１６】
前記少なくとも１種の熱可塑性ポリマーが水溶性ポリマーを含む、請求項１５に記載の非水性で押出可能な組成物。
【請求項１７】
前記組成物のｐＨを制御するための緩衝剤を更に含む、請求項１５又は１６に記載の非水性で押出可能な組成物。
【請求項１８】
前記緩衝剤が、前記組成物が使用者の口内に存在する場合に、前記組成物にｐＨ６〜９．５を提供する量で存在する、請求項１７に記載の非水性で押出可能な組成物。
【請求項１９】
前記少なくとも１種の熱可塑性ポリマーがヒドロキシプロピルセルロース（ＨＰＣ）を含む、請求項１５又は１６に記載の非水性で押出可能な組成物。
【請求項２０】
可塑剤を含まない、請求項１５又は１６に記載の非水性で押出可能な組成物。
【請求項２１】
粘膜吸収促進剤を更に含む、請求項１５又は１６に記載の非水性で押出可能な組成物。
【請求項２２】
可塑剤を更に含む、請求項１５又は１６に記載の非水性で押出可能な組成物。
【請求項２３】
タバコ製品の製造方法であって、組成物全体に対して２０質量％を超える量の少なくとも１種の熱可塑性ポリマー及びタバコを含む非水性組成物を押出機を通して押出成形し、前記非水性組成物の押出シートを形成することを含む方法。
【請求項２４】
前記少なくとも１種のポリマーがヒドロキシプロピルセルロース（ＨＰＣ）を含む、請求項２３に記載の方法。
【請求項２５】
前記押出シートが、厚さ０．１２７ｍｍ〜１．２７ｍｍ（５〜５０ミル）を有する、請求項２３又は２４に記載の方法。
【請求項２６】
前記組成物が、そのタバコ特異的ニトロソアミン含有量を実質的に上昇させないに十分な低さの温度及び十分に短い時間で押出成形される、請求項２３又は２４に記載の方法。
【請求項２７】
前記組成物の押出成形が、前記組成物中へのガスの注入をすることなく行なわれる、請求項２３又は２４に記載の方法。
【請求項２８】
前記組成物が９３．３℃（２００oＦ）未満で押出成形される、請求項２３又は２４に記載の方法。
【請求項２９】
前記組成物が、１７６．７℃（３５０oＦ）以下及び２分以下で押出成形される、請求項２３又は２４に記載の方法。
【請求項３０】
前記組成物が、２０４．４℃（４００oＦ）以下及び２分以下で押出成形される、請求項２３又は２４に記載の方法。
【請求項３１】
前記非水性組成物が香味料を更に含む、請求項２３又は２４に記載の方法。
【請求項３２】
前記非水性組成物が可塑剤を更に含む、請求項２３又は２４に記載の方法。
【請求項３３】
前記シートを細断して細断タバコ製品を形成し、パッケージ中に前記細断タバコ製品を提供することを更に含む、請求項２３又は２４に記載の方法。
【請求項３４】
タバコ製品から使用者にニコチンを送達するための方法であって、
少なくとも１種の熱可塑性ポリマー及びタバコを含む押出非水性組成物を含むシートを提供し、
前記シートを使用者の頬側口腔内、口蓋上又は舌下に置くことを含む方法。
【請求項３５】
同時包装製品であって、少なくとも１種の熱可塑性ポリマー及びタバコを含む非水性組成物から成るシートを含む少なくとも１種の押出タバコ製品を収めた第１のパッケージ、並びに少なくとも１種の巻きタバコを収めた第２のパッケージを含み、前記第１のパッケージ及び前記第２のパッケージは共に外装に同時包装されることを特徴とする同時包装製品。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
内部空間を画定するハウジングであって、植物の根を保持する土壌基質を収容するように、かつ、生きた植物を実質的に前記内部空間の中で支持するように構成されており、また、ハウジングの内側に貯水タンクを収容するように構成された空間を画定する第１の区画を有するハウジングと、
（１）空気を外部から装置へ受け入れ、（２）その空気を植物の葉の表面へ、葉を通り植物の根の付近へ、そして土壌基質の表面およびその中を通るよう、前記内部空間へと案内し、（３）処理した空気を装置から排出するように構成されたエアインペラシステムと
を備えた空気を処理する装置であって、
エアインペラシステムは、前記内部空間に受け入れられた一塊の空気の中心を植物の葉の表面付近に案内した後、根および土壌基質へと案内する、装置。
【請求項２】
エアインペラシステムは、前記一塊の空気の中心を、植物の葉の表面から約１０ｃｍ、８ｃｍ、６ｃｍ、４ｃｍ、２ｃｍまたは１ｃｍ未満へと案内するように構成されている、請求項１に記載の装置。
【請求項３】
ハウジングは、植物および土壌基質を収容するように構成された第２の区画をさらに有し、第１の区画は第２の区画とは分離されている、請求項１に記載の装置。
【請求項４】
第１の区画は取り外しおよび／または補充が可能である、請求項１に記載の装置。
【請求項５】
エアインペラシステムは、貯水タンク内の水または貯水タンクから実質的に生じる水蒸気と接触するように空気を案内するよう配置および構成されている、請求項１に記載の装置。
【請求項６】
ハウジングにより画定された内部の空間は実質的に密閉されており、
エアインペラシステムは、空気を外部から装置の前記内部空間へと引き込むように配置および構成された少なくとも１つのファンを備え、このファンは、ハウジングにより画定された開口部に設けられている、請求項１に記載の装置。
【請求項７】
前記少なくとも１つのファンは、ハウジングの前記内部空間の中の空気の流れを案内するように配置および構成されている、請求項６に記載の装置。
【請求項８】
ハウジングにより画定された前記内部空間とハウジングの外側の環境との間の実質的に自由な流体のやりとりを提供する開口部がハウジングにより画定されている、請求項１に記載の装置。
【請求項９】
エアインペラシステムは、処理した空気を装置から排出するように配置および構成された少なくとも１つのファンを備える、請求項１に記載の装置。
【請求項１０】
前記少なくとも１つのファンは、ハウジングの前記内部空間の中の空気の流れを案内するように配置および構成されている、請求項９に記載の装置。
【請求項１１】
空気を外部から前記内部空間へと引き込むように配置および構成された入口ファンと、処理した空気を装置から排出するように構成および配置された出口ファンとをさらに備える、請求項１に記載の装置。
【請求項１２】
出口ファンの速度に対する入口ファンの速度の比を変えるように操作可能な制御機構をさらに備える、請求項１１に記載の装置。
【請求項１３】
ハウジングの内側に実質的に画定された第２の区画をさらに備え、前記第２の区画は、湿った空気を含むように構成および配置されている、請求項１に記載の装置。
【請求項１４】
湿った空気を含むように構成された前記区画は、貯水タンクに隣接して設けられている、請求項１３に記載の装置。
【請求項１５】
エアインペラシステムは、湿った空気を前記内部空間を通って循環させるように構成されている、請求項１３に記載の装置。
【請求項１６】
ハウジングは、少なくとも一部が透明な材料で形成されている、請求項１に記載の装置。
【請求項１７】
鏡および／または人工光源をさらに備える請求項１に記載の装置。
【請求項１８】
土壌基質収容するように構成されたハウジングの部分にまで前記第１の区画から延びる少なくとも１つの芯をさらに備える請求項１に記載の装置。
【請求項１９】
請求項１に記載の装置であって、前記ハウジングは、第２の貯水タンクを収容するように構成された空間を画定する第２の区画をさらに有し、
前記第１の区画により画定された空間は、植物の根を保持する土壌基質を収容するように構成されたハウジングの部分と流体連通しており、
前記第２の区画により画定された空間は、植物の葉に対して流体連通している、装置。
【請求項２０】
エアインペラシステムの速度および／または方向を制御するように操作可能なコントローラをさらに備える請求項１に記載の装置。
【請求項２１】
ハウジングにより画定された内部空間に向けて空気を引き込むことと、
前記内部空間内にほぼ配置された植物の葉を通るよう空気を案内した後、その空気を植物の根を支えるハウジング内の土壌基質へと通すことと、
その空気から不純物を実質的に除去することと、
ハウジングから外部環境へとその空気を運ぶことと
を含む空気を処理する方法。
【請求項２２】
空気を、貯水タンクの中の水、または貯水タンクから実質的に発生する水蒸気と接触させることをさらに含む、請求項２１に記載の方法。
【請求項２３】
空気を植物の葉を通るよう案内した後にその空気を植物の根を支える土壌基質へと通すことには、
ハウジングにより画定された前記内部空間に周囲の空気を入れるために少なくとも１つのファンを操作することが含まれる、請求項２１または請求項２２に記載の方法。
【請求項２４】
第２のファンの速度に対する第１のファンの速度の比を変えることをさらに含む、請求項２３に記載の方法。
【請求項２５】
前記内部空間から外部環境へと空気を運ぶことには、ハウジングの前記内部空間の空気を前記ハウジングの外に排出させる第２のファンの操作が含まれる、請求項２１に記載の方法。
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
シロアリを検出し制御するための、交換可能なカートリッジを中に受け入れるようにサイズ及び形状が決められた内部空間を画定する容器を備えた装置と共に使用する、交換可能なカートリッジであって、
耐シロアリ性の材料で構築され、内部チャンバを有し、上側端部及び開いた下側端部を有するほぼ管状の側壁と、
前記側壁とは別個であり、前記側壁の前記下側端部を少なくとも部分的に閉じるため、前記側壁の前記下側端部にほぼ隣接して前記側壁の前記内部チャンバ内に少なくとも部分的に位置付け可能であり、シロアリの食用材料で構築される凝集部材と、
前記凝集部材とは別個であり、前記凝集部材と前記側壁の前記上側端部との中間で前記側壁の前記内部チャンバ内に配置される餌マトリックスと、を備える、交換可能なカートリッジ。
【請求項２】
前記凝集部材は、シロアリがそこを通って前記内部チャンバに入ることができる少なくとも一つの開口部を画定するように構成されている、請求項１に記載の交換可能なカートリッジ。
【請求項３】
前記餌マトリックスが、少なくとも部分的に前記凝集部材が構築されるのと同じシロアリの食用材料で構築されている、請求項１または２に記載の交換可能なカートリッジ。
【請求項４】
前記餌マトリックスがシロアリにとって有毒な材料を更に含んでいる、請求項１〜３のいずれかに記載の交換可能なカートリッジ。
【請求項５】
前記凝集部材及び前記餌マトリックスがそれぞれ少なくとも部分的にセルロース含有材料で構築されている、請求項１〜４のいずれかに記載の交換可能なカートリッジ。
【請求項６】
前記凝集部材が少なくとも部分的に熱処理済み木材で構築されている、請求項１〜４のいずれかに記載の交換可能なカートリッジ。
【請求項７】
前記餌マトリックスが前記側壁の前記内部チャンバ内で前記凝集部材によって支持されている、請求項１〜６のいずれかに記載の交換可能なカートリッジ。
【請求項８】
前記側壁が前記凝集部材を中で支持するための肩部を有する、請求項１〜７のいずれかに記載の交換可能なカートリッジ。
【請求項９】
前記側壁の前記上側端部を閉じるため、蓋が、該側壁の該上側端部において該側壁と取外し可能に係合することができる、請求項１〜８のいずれかに記載の交換可能なカートリッジ。
【請求項１０】
内部空間を画定する容器と、
交換可能なカートリッジと、を備え、
前記交換可能なカートリッジが、耐シロアリ性の材料で構築され、内部チャンバを有し、上側端部及び開いた下側端部を有するほぼ管状の側壁と、
前記側壁とは別個であり、前記側壁の前記下側端部を少なくとも部分的に閉じるため、前記側壁の前記下側端部にほぼ隣接して前記側壁の前記内部チャンバ内に少なくとも部分的に位置付け可能であり、シロアリの食用材料で構築される凝集部材と、
前記凝集部材とは別個であり、前記凝集部材と前記側壁の前記上側端部との中間で前記側壁の前記内部チャンバ内に配置される餌マトリックスと、を備える、シロアリを検出し制御するためのシロアリステーション。
【請求項１１】
前記凝集部材は、シロアリがそこを通って前記内部チャンバに入ることができる少なくとも一つの開口部を画定するように構成されている、請求項１０に記載のシロアリステーション。
【請求項１２】
前記交換可能なカートリッジとは別個の凝集ベースを更に備えている、請求項１０または１１に記載のシロアリステーション。
【請求項１３】
前記凝集ベース及び前記凝集部材が同じ材料から形成されている、請求項１２に記載のシロアリステーション。
【請求項１４】
前記凝集ベース及び前記凝集部材が熱処理済み木材から形成されている、請求項１２または１３に記載のシロアリステーション。
【請求項１５】
前記凝集部材が、ハブと、前記ハブから延びるスポークとを有する、請求項１０〜１４のいずれかに記載のシロアリステーション。
【請求項１６】
前記餌マトリックスが前記側壁の前記内部チャンバ内で前記凝集部材によって支持されている、請求項１０〜１５のいずれかに記載のシロアリステーション。
【請求項１７】
前記容器が地上に設置するように構成されている、請求項１０〜１６のいずれかに記載のシロアリステーション。
【請求項１８】
前記容器が地中に設置するように構成されている、請求項１０〜１６のいずれかに記載のシロアリステーション。
【請求項１９】
シロアリを検出し制御するための、交換可能なカートリッジを中に受け入れるようにサイズ及び形状が決められた内部空間を画定する容器を備えた装置と共に使用する、交換可能なカートリッジであって、
耐シロアリ性の材料で構築され、内部チャンバを有し、上側端部及び開いた下側端部を有するほぼ管状の側壁と、
前記側壁とは別個であり、前記側壁の前記下側端部を少なくとも部分的に閉じるため、前期側壁の前記下側端部にほぼ隣接して前記側壁の前記内部チャンバ内に少なくとも部分的に位置付け可能であり、少なくとも部分的にシロアリの食用材料で構築されるクロージャと、
前記クロージャとは別個であり、前記クロージャと前記側壁の前記上側端部との中間で前記側壁の前記内部チャンバ内に配置される餌マトリックスと、を備える、交換可能なカートリッジ。
【請求項２０】
シロアリを検出し制御するための、交換可能なカートリッジを中に受け入れるようにサイズ及び形状が決められた内部空間を画定する容器を備えた装置と共に使用する、交換可能なカートリッジであって、
上側端部と、下側端部と、該上側端部及び下側端部の間の内部チャンバとを有するほぼ管状の側壁と、
前記内部チャンバに受け入れられる、圧縮した精製セルロース粉末を含む複数のタブレットと、
シロアリが前記内部チャンバに入ることができるようにするため、前記側壁の前記下側端部を閉じ、少なくとも部分的に開口部を画定する、シロアリの食用材料で構築される底部と、を備える、交換可能なカートリッジ。
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
1つ以上の標的を検出する方法であって：
標的又は非標的のうちの少なくとも1つを含む試料溶液を、第1電極を備える第1表面と、前記第1表面からある距離だけ変位して、かつ前記第1電極に対向する第2電極を備える第2表面を有するマイクロ流体デバイスを通り抜けるように連続的に流す手順；
前記マイクロ流体デバイスに溶液中のナノ構造を供する手順；
前記試料溶液と前記のナノ構造を供する溶液との混合させる手順；
前記第1電極及び第2電極に電流を印加する手順；
前記の第1電極及び第2電極に印加された電流によって発生する電場を用いて前記ナノ構造を移動させる手順；
前記電場内部で前記ナノ構造を捕獲する手順；
前記電場が存在する中で前記標的と前記ナノ構造とのハイブリダイゼーションを起こす手順；
前記非標的又は弱いハイブリダイゼーションを起こした標的のうちの少なくとも1つを、前記ナノ構造から流体力学的に剪断する手順；
前記第1電極と第2電極との間の電気インピーダンスを測定することによって、前記の捕獲されたナノ構造を評価することで、前記標的の存在、不存在、又は量のうちの少なくとも1つを決定する手順；
を有する方法。
【請求項２】
前記電流は誘電泳動を誘起する、請求項1に記載の方法。
【請求項３】
圧力の増大によって妨害されない、請求項1に記載の方法。
【請求項４】
前記の複数の標的のコピーがポリメラーゼ鎖反応を介して生成される、請求項1に記載の方法。
【請求項５】
前記電場が少なくとも、第1電流で第1周波数を有し、かつ第2電流で第2周波数を有し、
ナノ構造は、前記第1周波数では第1方向に移動し、かつ前記第2周波数では第2方向に移動する、
請求項1に記載の方法。
【請求項６】
複数のナノ構造をさらに有し、かつ、前記複数のナノ構造が前記電場の周波数に依存するパターンを形成する、請求項1に記載の方法。
【請求項７】
前記標的の存在又は不存在が、病原体、ガン細胞、生物学的小胞、ペプチド、DNA、RNA、若しくは非DNA分子のうちの少なくとも1つの存在又は不存在を示す、請求項1に記載の方法。
【請求項８】
前記電流が前記マイクロ流体デバイスにわたって不均一な電場を発生させる、請求項1に記載の方法。
【請求項９】
前記ナノ構造が、カーボンナノチューブ、ナノビーズ、ナノワイヤ、ナノコロイド、ナノ粒子、ナノロッド、量子ドット、ナノ結晶、リポゾーム、シリカビーズ、ラテックスビーズ、金コロイド、及び/又は1μm未満の寸法を有する他の形状を備えた構造のうちの1つ以上である、請求項1に記載の方法。
【請求項１０】
前記標的とのハイブリダイゼーションを起こす前に前記複数のナノ構造上で1つ以上の分子プローブを官能化させる手順をさらに有する、請求項1に記載の方法。
【請求項１１】
前記1つ以上の分子プローブが、オリゴマー、蛍光プローブ、カルボキシル基、又はストレプトアビジンのうちの1つ以上を有する、請求項10に記載の方法。
【請求項１２】
前記試料を前処理する手順をさらに有する、請求項1に記載の方法。
【請求項１３】
前記前処理は抑制物質のフィルタリング及び/又は除去を有する、請求項13に記載の方法。
【請求項１４】
前記試料中に第2標的を供する手順；
前記マイクロ流体デバイスに溶液中の第2ナノ構造を供する手順；
前記第2ナノ構造を分類する手順；
前記第2標的と前記第2ナノ構造とのハイブリダイゼーションを起こす手順；及び
前記の分類された複数のナノ構造を評価することで、前記第2標的の存在、不存在、又は量のうちの少なくとも1つを決定する手順；
をさらに有する請求項1に記載の方法であって、
前記ナノ構造に電流を印加することで、前記標的とハイブリダイゼーションを起こす前記ナノ構造が第1方向に移動し、前記第2標的とハイブリダイゼーションを起こす前記ナノ構造が第2方向に移動し、かつ
前記標的及び第2標的が、前記第1又は第2方向に基づいて分類される、
方法。